(57)【要約】【課題】バーナが損傷することを抑制することができる燃焼装置および温水装置を提供する。【解決手段】燃焼装置は、バーナと、ケース１１と、点火プラグ１４とを備えている。バーナは、加熱用の燃焼ガスを発生させる。ケース１１は、燃焼ガスの流れる方向においてバーナよりも下流側に配置され、内部と外部とを仕切る。点火プラグ１４は、ケース１１の内部に位置する先端部１４Ｔを有し、かつケース１１を貫通してケース１１に取り付けられている。燃焼装置は、点火プラグ１４の先端部１４Ｔがバーナ側に回動することを規制するように構成されている。【選択図】図３
2018071855.tif 000002
【特許請求の範囲】
【請求項１】
加熱用の燃焼ガスを発生させるバーナと、
前記燃焼ガスの流れる方向において前記バーナよりも下流側に配置され、内部と外部とを仕切る取付壁部と、
前記取付壁部の前記内部に位置する先端部を有し、かつ前記取付壁部を貫通して前記取付壁部に取り付けられた点火プラグとを備え、
前記点火プラグの前記先端部が前記バーナ側に回動することを規制するように構成されている、燃焼装置。
【請求項２】
前記点火プラグの前記先端部が前記バーナ側に回動することを規制する規制部をさらに備え、
前記規制部は、前記点火プラグが前記取付壁部を貫通して前記取付壁部に取り付けられる際に、前記点火プラグに接触することにより、前記点火プラグの前記先端部が前記バーナ側に回動することを規制するように構成されている、請求項１に記載の燃焼装置。
【請求項３】
前記規制部は、前記取付壁部に接続された第１庇部を含み、
前記第１庇部は、前記点火プラグと前記バーナとの間に配置され、かつ前記取付壁部の前記内部に配置されている、請求項２に記載の燃焼装置。
【請求項４】
前記規制部は、前記取付壁部に接続された第２庇部を含み、
前記第２庇部は、前記点火プラグに対して前記バーナと反対側に配置され、前記取付壁部の前記外部に配置されている、請求項２に記載の燃焼装置。
【請求項５】
前記取付壁部は、第１壁部と、前記点火プラグに対して前記第１壁部と反対側に位置する第２壁部とを含み、
前記第１壁部は、前記第２壁部よりも前記バーナ側に位置し、かつ前記第２壁部よりも前記取付壁部の内部側に位置している、請求項１に記載の燃焼装置。
【請求項６】
前記取付壁部は、前記第１壁部と前記第２壁部とを接続する第１段差部を含み、
前記第１段差部は、前記点火プラグと前記バーナとの間に配置されている、請求項５に記載の燃焼装置。
【請求項７】
前記取付壁部は、前記第１壁部と前記第２壁部とを接続する第２段差部を含み、
前記第２段差部は、前記点火プラグに対して前記バーナと反対側に配置されている、請求項５に記載の燃焼装置。
【請求項８】
前記規制部は、前記取付壁部に接続されたバーリング部を含み、
前記バーリング部は、前記点火プラグの周囲を取り囲むように構成されている、請求項２に記載の燃焼装置。
【請求項９】
請求項１〜８のいずれか１項に記載の前記燃焼装置と、
前記燃焼ガスにより湯水を加熱する熱交換部とを備えた、温水装置。
【発明の詳細な説明】
【技術分野】
【０００１】
本発明は、燃焼装置および温水装置に関するものである。
【背景技術】
【０００２】
点火プラグを備えた給湯器は、たとえば実開平１−１７８４５９号公報（特許文献１）に開示されている。この給湯器においては、バーナケースと熱交換器とが一体化されており、イグナイター電極を保持した碍子が熱交換器の内胴部に形成された挿入口に挿入されている。
【先行技術文献】
【特許文献】
【０００３】
【特許文献１】実開平１−１７８４５９号公報
【発明の概要】
【発明が解決しようとする課題】
【０００４】
上記の公報に記載された給湯器では、熱交換器の内胴部に形成された挿入口に碍子が挿入される際に、碍子に保持された電極がバーナに接触することにより、バーナが損傷するという問題がある。
【０００５】
本発明は、上記の課題に鑑みてなされたものであり、その目的は、バーナが損傷することを抑制することができる燃焼装置および温水装置を提供することである。
【課題を解決するための手段】
【０００６】
本発明の燃焼装置は、バーナと、取付壁部と、点火プラグとを備えている。バーナは、加熱用の燃焼ガスを発生させる。取付壁部は、燃焼ガスの流れる方向においてバーナよりも下流側に配置され、内部と外部とを仕切る。点火プラグは、取付壁部の内部に位置する先端部を有し、かつ取付壁部を貫通して取付壁部に取り付けられている。燃焼装置は、点火プラグの先端部がバーナ側に回動することを規制するように構成されている。
【０００７】
本発明の燃焼装置によれば、点火プラグの先端部がバーナ側に回動することを規制することができる。これにより、点火プラグの先端部がバーナに接触することを抑制することができる。このため、バーナが損傷することを抑制することができる。
【０００８】
本発明の燃焼装置は、点火プラグの先端部がバーナ側に回動することを規制する規制部をさらに備えている。規制部は、点火プラグが取付壁部を貫通して取付壁部に取り付けられる際に、点火プラグに接触することにより、点火プラグの先端部がバーナ側に回動することを規制するように構成されている。このため、規制部により点火プラグの先端部がバーナ側に回動することを規制することができる。
【０００９】
上記の燃焼装置において、規制部は、取付壁部に接続された第１庇部を含む。第１庇部は、点火プラグとバーナとの間に配置され、かつ取付壁部の内部に配置されている。このため、第１庇部により点火プラグの先端部がバーナ側に回動することを抑制することができる。
【００１０】
上記の燃焼装置において、規制部は、取付壁部に接続された第２庇部を含む。第２庇部は、点火プラグに対してバーナと反対側に配置され、かつ取付壁部の外部に配置されている。このため、第２庇部により点火プラグの先端部がバーナ側に回動することを抑制することができる。
【００１１】
上記の燃焼装置において、取付壁部は、第１壁部と、点火プラグに対して第１壁部と反対側に位置する第２壁部とを含む。第１壁部は、第２壁部よりもバーナ側に位置し、かつ第２壁部よりも取付壁部の内部側に位置している。このため、第１壁部により点火プラグの先端部がバーナ側に回動することを抑制することができる。
【００１２】
上記の燃焼装置において、取付壁部は、第１壁部と第２壁部とを接続する第１段差部を含む。第１段差部は、点火プラグとバーナとの間に配置されている。このため、第１段差部により点火プラグの先端部がバーナ側に回動することを抑制することができる。
【００１３】
上記の燃焼装置において、取付壁部は、第１壁部と第２壁部とを接続する第２段差部を含む。第２段差部は、点火プラグに対してバーナと反対側に配置されている。このため、第２段差部により点火プラグの先端部がバーナ側に回動することを抑制することができる。
【００１４】
上記の燃焼装置において、規制部は、取付壁部に接続されたバーリング部を含む。バーリング部は、点火プラグの周囲を取り囲むように構成されている。このため、バーリング部により点火プラグの先端部がバーナ側に回動することを抑制することができる。
【００１５】
本発明の温水装置は、上記の燃焼装置と、燃焼ガスにより湯水を加熱する熱交換部とを備えている。このため、バーナが損傷することを抑制することができる燃焼装置を備えた温水装置を提供することができる。
【発明の効果】
【００１６】
以上説明しように本発明によれば、バーナが損傷することを抑制することができる燃焼装置および温水装置を提供することである。
【図面の簡単な説明】
【００１７】
【図１】本発明の一実施の形態における温水装置の構成を模式的に示す図である。
【図２】本発明の一実施の形態における顕熱回収熱交換器および潜熱回収熱交換器の構成を概略的に示す斜視図である。
【図３】本発明の一実施の形態における顕熱回収熱交換器の構成を概略的に示す斜視図である。
【図４】本発明の一実施の形態における顕熱回収熱交換器の構成を概略的に示す断面図である。
【図５】図４における点火プラグ付近を拡大して示す拡大断面図である。
【図６】図５の矢印Ａ方向から見た図である。
【図７】比較例の点火プラグが取付壁部に取り付けられる際の様子を示す断面図である。
【図８】本発明の一実施の形態における点火プラグが取付壁部に取り付けられる際の様子を示す断面図である。
【図９】燃焼装置の第１の変形例を示す図５に対応する拡大断面図である。
【図１０】燃焼装置の第２の変形例を示す図５に対応する拡大断面図である。
【図１１】燃焼装置の第３の変形例を示す図６に対応する図である。
【図１２】燃焼装置の第４の変形例を示す図５に対応する拡大断面図である。
【図１３】燃焼装置の第５の変形例を示す図５に対応する拡大断面図である。
【図１４】燃焼装置の第６の変形例を示す図５に対応する拡大断面図である。
【図１５】燃焼装置の第７の変形例を示す図５に対応する拡大断面図である。
【図１６】燃焼装置の第７の変形例のバーリング部を示す斜視図である。
【発明を実施するための形態】
【００１８】
以下、本発明の実施の形態について図に基づいて説明する。
まず、本発明の一実施の形態における温水装置の構成について図１を用いて説明する。
【００１９】
図１に示されるように、本実施の形態の温水装置１００は、顕熱回収熱交換器（一次熱交換器）１０と、潜熱回収熱交換器（二次熱交換器）２０と、バーナ３０と、チャンバ３１と、送風装置３２と、ダクト３３と、ベンチュリ３４、オリフィス３５、ガスバルブ３６、配管４０と、バイパス配管４１と、三方弁４２と、液液熱交換器４３と、温水配管４４と、筐体５０とを主に有している。筐体５０の内部に、上記の部品のうち筐体５０を除く全ての部品が配置されている。
【００２０】
ガスバルブ３６、オリフィス３５およびベンチュリ３４がこの順で配管に接続されている。この配管には筐体５０の外部から燃料ガスが供給可能である。この配管に供給された燃料ガスは、ガスバルブ３６とオリフィス３５とを通じてベンチュリ３４に流れる。
【００２１】
ガスバルブ３６は燃料ガスの流量を制御するためのものである。ベンチュリ３４は、燃料ガスと空気との混合ガスの流れを絞ることによって混合ガスの流速を増加させるものである。ベンチュリ３４は、筐体５０の外部から空気を取り入れられるように構成されている。ベンチュリ３４は、筐体５０の外部から取り入れた空気と、配管から供給された燃料ガスとを混合するように構成されている。
【００２２】
ベンチュリ３４は配管を通じて送風装置３２に接続されている。この配管により、ベンチュリ３４で混合された混合ガスは送風装置３２に送られる。送風装置３２は、混合ガスをバーナ３０へ送出するためのものである。送風装置３２は、ファンケースと、ファンケース内に配置された羽根車と、羽根車を回転させるための駆動源（モータなど）とを主に有している。
【００２３】
送風装置３２はチャンバ３１に接続されており、チャンバ３１はバーナ３０に接続されている。送風装置３２から送出された混合ガスは、チャンバ３１を通じてバーナ３０に送られる。
【００２４】
バーナ３０は、混合ガスを燃焼することにより加熱用の燃焼ガスを発生させるためのものである。バーナ３０は燃焼ガスを下向きに供給する逆燃式の装置である。バーナ３０から吹出される混合ガスは、点火プラグ１４によって着火され、燃焼ガスとなる。点火プラグ１４は、後述するように顕熱回収熱交換器１０に設けられている。
【００２５】
燃焼ガスが顕熱回収熱交換器１０および潜熱回収熱交換器２０を順に通過するように、バーナ３０、顕熱回収熱交換器１０および潜熱回収熱交換器２０が接続されている。顕熱回収熱交換器１０および潜熱回収熱交換器２０の各々はバーナ３０の下方に設けられている。具体的には、バーナ３０の下方に顕熱回収熱交換器１０が取り付けられており、この顕熱回収熱交換器１０の下方に潜熱回収熱交換器２０が取り付けられている。
【００２６】
潜熱回収熱交換器２０にはダクト３３が接続されており、ダクト３３は筐体５０の外部へ延びている。これにより、潜熱回収熱交換器２０を通過した燃焼ガスは、ダクト３３を通じて筐体５０の外部へ排出される。
【００２７】
顕熱回収熱交換器１０および潜熱回収熱交換器２０の各々は、バーナ３０から供給された燃焼ガスと湯水との間で熱交換を行うことにより湯水を加熱するためのものである。
【００２８】
顕熱回収熱交換器１０は、バーナ３０が発生させた燃焼ガスの顕熱を回収するためのものである。潜熱回収熱交換器２０は、燃焼ガスの潜熱を回収するためのものである。この潜熱回収熱交換器２０には、たとえばプレート式熱交換器が用いられる。
【００２９】
顕熱回収熱交換器１０において入水する湯水の温度が低い場合、またはバーナ３０の加熱量が少ない場合などには、顕熱回収熱交換器１０内において燃焼ガスの水蒸気が凝縮し、凝縮した結露水（ドレン）が発生する。また潜熱回収熱交換器２０においても、ドレンが発生する。これらのドレンはダクト３３の一部を通って、筐体５０の外部へ排水される。
【００３０】
顕熱回収熱交換器１０の吸熱パイプと潜熱回収熱交換器２０の吸熱パイプとは配管４０で接続されている。潜熱回収熱交換器２０よりも入水側の配管４０の部分と、顕熱回収熱交換器１０よりも出湯側の配管４０の部分とはバイパス配管４１によりバイパスされている。
【００３１】
顕熱回収熱交換器１０よりも出湯側の配管４０の部分とバイパス配管４１とは三方弁４２で接続されている。三方弁４２は、顕熱回収熱交換器１０から配管４０の出湯口への流路と、顕熱回収熱交換器１０からバイパス配管４１への流路とを切り替え可能に構成されている。
【００３２】
バイパス配管４１には液液熱交換器４３が接続されている。液液熱交換器４３には、温水端末に接続された温水配管４４が挿入されている。液液熱交換器４３は、顕熱回収熱交換器１０および潜熱回収熱交換器２０を通って温められた温水が液液熱交換器４３の内部に流れるように構成されている。この液液熱交換器４３の内部を流れる温水が温水配管４４の外側を流れることにより、液液熱交換器４３の内部を流れる温水と温水配管４４の内部を流れる温水との間で熱交換を行うことが可能となる。
【００３３】
上記の温水装置１００に供給された水は、顕熱回収熱交換器１０および潜熱回収熱交換器２０において燃焼ガスと熱交換をして湯となる。これにより温水装置１００によって湯を供給することが可能となる。
【００３４】
温水端末から戻ってきた温水は、温水配管４４を通って、液液熱交換器４３において顕熱回収熱交換器１０および潜熱回収熱交換器２０で温められた温水との熱交換により温められてから、再び温水端末に供給される。このようにして、温水装置１００によって温水端末に温水を供給することが可能となる。
【００３５】
次に、上記の温水装置１００に用いられる燃焼装置の構成について図１〜図５を用いて説明する。図１および図２に示されるように、燃焼装置２００は、バーナ３０と、取付壁部１１と、点火プラグ１４とを備えている。燃焼装置２００は、後述する点火プラグ１４の先端部１４Ｔがバーナ側に回動することを規制するように構成されている。
【００３６】
本実施の形態の顕熱回収熱交換器１０は、取付壁部（ケース）１１と、ヘッダ１２と、吸熱パイプ（伝熱管：図３、図４）１３と、点火プラグ１４と、フィン１６（図４）と、押さえ部材１７と、固定部材１８とを主に有している。吸熱パイプ１３およびフィン１６が熱交換部３００を構成している。熱交換部３００は、燃焼ガスにより湯水を加熱するためのものである。
【００３７】
取付壁部（ケース）１１は、燃焼ガスの流れる方向においてバーナ３０よりも下流側に配置されている。ケース１１は内部と外部とを仕切るように構成されている。ケース１１は、第１側壁１１ａ、第２側壁１１ｂ、第３側壁１１ｃおよび第４側壁１１ｄを有している。第１側壁１１ａ〜第４側壁１１ｄは、四角の枠状となるように接続されている。
【００３８】
第１側壁１１ａと第３側壁１１ｃとは互いに対面している。第２側壁１１ｂと第４側壁１１ｄとは互いに対面している。第１側壁１１ａ〜第４側壁１１ｄの各々は、ケース１１の内部と外部と仕切る壁面を有している。
【００３９】
上記枠形状を有するケース１１は上下に開口を有している。これによりケース１１の上側の開口を通ってケース１１の内部に燃焼ガスが給気可能である。またケース１１の下側の開口を通って燃焼ガスがケース１１の外部へ排気可能である。
【００４０】
第１側壁１１ａの外面にヘッダ１２が設けられている。第１側壁１１ａの外面に設けられたヘッダ１２には、入水側の継手１３ａおよび出湯側の継手１３ｂが取り付けられている。第３側壁１１ｃの外面にも図示しないヘッダ１２が設けられている。
【００４１】
図３に示されるように、第１側壁１１ａの外面に設けられたヘッダ１２と、第３側壁１１ｃの外面に設けられたヘッダ１２とは複数の吸熱パイプ１３で接続されている。複数の吸熱パイプ１３は、ケース１１の内部に位置する吸熱パイプ１３と、ケース１１の外部に位置する吸熱パイプ１３とを有している。
【００４２】
このヘッダ１２と吸熱パイプ１３とを流通する湯水の流れはたとえば以下のようになる。
【００４３】
入水側の継手１３ａから入水した湯水は、第１側壁１１ａの外面の最も一方端側に設けられたヘッダ１２を通じて、ケース１１の内部に位置する吸熱パイプ１３に入る。この吸熱パイプ１３内に入った湯水は、第３側壁１１ｃの外面に設けられた図示しないヘッダ１２に達する。第３側壁１１ｃの外面に設けられたヘッダ１２に達した湯水は、当該ヘッダ１２に接続された別の吸熱パイプ１３を通って第１側壁１１ａの外面に設けられたヘッダ１２に達する。
【００４４】
このように湯水は、第１側壁１１ａ側から第３側壁１１ｃ側へ向かった後に、第３側壁１１ｃ側から第１側壁１１ａ側へ折り返される。その後、湯水は、第３側壁１１ｃ側への折り返しと第１側壁１１ａ側への折り返しとが繰り返されるように流れる。
【００４５】
図２に示されるように、上記により第１側壁１１ａの外面の最も他方端側に設けられたヘッダ１２に到達した湯水は、第２側壁１１ｂの外面に設けられた吸熱パイプ１３を通って第３側壁１１ｃの外面に設けられたヘッダ１２に達する。
【００４６】
図３に示されるように、第３側壁１１ｃの外面に設けられたヘッダ１２に達した湯水は、第４側壁１１ｄの外面に設けられた吸熱パイプ１３を通って第１側壁１１ａの外面に設けられたヘッダ１２に達し、最後に、湯側の継手１３ｂから出湯する。
【００４７】
図４に示されるように、ケース１１の内部に位置する吸熱パイプ１３の外周面には、複数のフィン１６が接続されている。なお図３においては、説明の簡略化のため、フィンの図示は省略されている。
【００４８】
第２側壁１１ｂには、ケース１１の外部から内部に向かって窪んだ凹部１１ｂａが設けられている。ケース１１の外部であって第２側壁１１ｂ側に位置する吸熱パイプ１３の少なくとも一部は凹部１１ｂａに嵌っている。
【００４９】
また第４側壁１１ｄには、ケース１１の外部から内部に向かって窪んだ凹部１１ｄａが設けられている。ケース１１の外部であって第４側壁１１ｄ側に位置する吸熱パイプ１３の少なくとも一部は凹部１１ｄａに嵌っている。
【００５０】
図３および図４に示されるように、点火プラグ１４は、ケース１１の内部から外部に渡って位置するように、ケース１１の壁面に取り付けられている。点火プラグ１４は、ケース１１の内部に位置する先端部１４Ｔを有している。点火プラグ１４は、ケース１１を貫通してケース１１に取り付けられている。点火プラグ１４は、たとえば第２側壁１１ｂを貫通するように第２側壁１１ｂに取り付けられている。
【００５１】
点火プラグ１４は、ケース１１の外部であって第２側壁１１ｂ側に位置する複数の吸熱パイプ１３のうち最もバーナ３０の近くに位置する吸熱パイプ１３（最上方吸熱パイプ１３）の真下に配置されている。点火プラグ１４は、ケース１１の外部であって第２側壁１１ｂ側に位置する２つの吸熱パイプ１３の間に配置されている。
【００５２】
本実施の形態においては、点火プラグ１４は、たとえば１対の点火プラグ電極１４ａと、フレームロッド電極１４ｂとを含んでいる。１対の点火プラグ電極１４ａは、点火スパークを生じさせることにより、バーナ３０から噴き出された混合ガスに火炎を生じさせるものである。フレームロッド電極１４ｂは、バーナ３０で生じた火炎の間に交流電圧を印加し火炎のイオン化による導電性、整流作用を利用して、フレームロッド電極１４ｂから火炎へ流れる直流電流を検知することにより火炎の有無を検出するためのものである。点火プラグの先端部１４Ｔは、１対の点火プラグ電極１４ａおよびフレームロッド電極１４ｂの各々の先端部となる。
【００５３】
点火プラグ１４は、碍子部１４ｃを含んでいる。碍子部１４ｃはケース１１の壁面に取り付けられている。本実施の形態においては、１対の点火プラグ電極１４ａと、フレームロッド電極１４ｂとの各々は、碍子部１４ｃを貫通しており、碍子部１４ｃに保持されている。１対の点火プラグ電極１４ａおよびフレームロッド電極１４ｂのそれぞれが碍子部１４ｃを貫通してケース１１の内部から外部に渡って延びている。１対の点火プラグ電極１４ａと、フレームロッド電極１４ｂとは、横方向（上下方向に直交する方向）に互いに間隔をあけて配置されている。１対の点火プラグ電極１４ａと、フレームロッド電極１４ｂとは、たとえば横方向に一列となるように配置されている。１対の点火プラグ電極１４ａと、フレームロッド電極１４ｂとの各々は、金属などの導電性の材質よりなっている。碍子部１４ｃはセラミックなどの絶縁性の材料によりなっている。
【００５４】
碍子部１４ｃは、本体部１４ｃａと、フランジ部１４ｃｂとを有している。本体部１４ｃａは、１対の点火プラグ電極１４ａと、フレームロッド電極１４ｂとの各々を保持している。フランジ部１４ｃｂは、本体部１４ｃａの外周面から外方へ張り出している。碍子部１４ｃは、正面視において長円状に構成されている。
【００５５】
第２側壁１１ｂには、貫通孔（図示せず）が設けられている。碍子部１４ｃは、第２側壁１１ｂの貫通孔に挿入されている。この挿入状態において、１対の点火プラグ電極１４ａと、フレームロッド電極１４ｂとの各々の先端部は、ケース１１の内部に位置している。
【００５６】
上記の挿入状態において、碍子部１４ｃにおける本体部１４ｃａの一方端部はケース１１の内部に位置している。また本体部１４ｃａの他方端部はケース１１の外部に位置している。
【００５７】
上記の挿入状態において、フランジ部１４ｃｂは、ケース１１の外部に位置している。フランジ部１４ｃｂは、第２側壁１１ｂの貫通孔の開口寸法より大きい寸法を有している。
【００５８】
図２および図６に示されるように、押さえ部材１７は、フランジ部１４ｃｂを第２側壁１１ｂとは反対側から押さえている。押さえ部材１７がフランジ部１４ｃｂを押さえた状態で、押さえ部材１７は固定部材１８により第２側壁１１ｂに固定されている。
【００５９】
固定部材１８は、たとえばビス、ネジ、ボルトなどの螺合部材であってもよく、またピンなどであってもよい。固定部材１８は第２側壁１１ｂを貫通しており、固定部材１８の先端はケース１１の内部に位置している。
【００６０】
上記のように押さえ部材１７が、固定部材１８によりケース１１の外部から第２側壁１１ｂに固定されている。これにより、点火プラグ１４をケース１１にしっかりと固定することができる。なお図６に示されるように、押さえ部材１７と第２側壁１１ｂとの間にパッキン１９（図６）が挟まれている。このパッキン１９により、ケース１１の内部から燃焼ガスがケース１１の外部へ漏れ出すことが防止されている。固定部材１８は、このパッキン１９を貫通していてもよい。
【００６１】
図３および図４に示されるように、本実施の形態では、燃焼装置２００は、規制部１をさらに備えている。規制部１は、点火プラグ１４の先端部１４Ｔがバーナ３０側に回動することを規制するものである。規制部１は、点火プラグ１４がケース１１を貫通してケース１１に取り付けられる際に、点火プラグ１４に接触することにより、点火プラグ１４の先端部１４Ｔがバーナ３０側に回動することを規制するように構成されている。
【００６２】
次に、上記の燃焼装置２００に含まれる規制部１について図５および図６を用いて説明する。
【００６３】
図５に示されるように、本実施の形態においては、規制部１は、第１庇部１ａと、第２庇部１ｂとを有している。なお、規制部１は、１つであってもよい。つまり、規制部１は、第１庇部１ａ、第２庇部１ｂの少なくともいずれかを有していればよい。
【００６４】
第１庇部１ａはケース１１に接続されている。第１庇部１ａは、点火プラグ１４とバーナ３０との間に配置されている。第１庇部１ａはケース１１の内部に配置されている。第１庇部１ａは第２側壁１１ｂの壁面からケース１１の内部に起立している。
【００６５】
第１庇部１ａは、点火プラグ１４がケース１１を貫通してケース１１に取り付けられた状態で、碍子部１４ｃの上面に接触している。具体的には、第１庇部１ａは、この状態で、碍子部１４ｃの本体部１４ｃａの上端に接触している。これにより、第１庇部１ａにより点火プラグ１４を保持することができる。
【００６６】
第１庇部１ａよりも上方に位置する第２側壁１１ｂの壁面と第１庇部１ａとの成す角度は好ましくは９０度である。また、第１庇部１ａは、点火プラグ１４が第２側壁１１ｂの壁面に取り付けられる前にはこの角度が９０度よりも大きくなっており、点火プラグ１４が第２側壁１１ｂの壁面に取り付けられた状態でこの角度が９０度となるように弾性変形可能に構成されていてもよい。これにより、第１庇部１ａの弾性変形による付勢力で点火プラグ１４を保持することができる。
【００６７】
第１庇部１ａは、ケース１１の外部であって第２側壁１１ｂ側に位置する複数の吸熱パイプ１３のうち最もバーナ３０の近くに位置する吸熱パイプ１３（最上方吸熱パイプ１３）の下方（真下）に配置されている。つまり、第１庇部１ａは最上方吸熱パイプ１３が嵌められる凹部１１ｂａの真下に配置されている。
【００６８】
第２庇部１ｂはケース１１に接続されている。第２庇部１ｂは、点火プラグ１４に対してバーナ３０と反対側に配置されている。第２庇部１ｂはケース１１の外部に配置されている。第２庇部１ｂは第２側壁１１ｂの壁面からケース１１の外部に起立している。
【００６９】
第２庇部１ｂは、点火プラグ１４がケース１１を貫通してケース１１に取り付けられた状態で、碍子部１４ｃの下面に接触している。具体的には、第２庇部１ｂは、この状態で、碍子部１４ｃのフランジ部１４ｃｂの下端に接触している。これにより、第２庇部１ｂにより点火プラグ１４を保持することができる。
【００７０】
第２庇部１ｂよりも下方に位置する第２側壁１１ｂの壁面と第２庇部１ｂとの成す角度は好ましくは９０度である。また、第２庇部１ｂは、点火プラグ１４が第２側壁１１ｂの壁面に取り付けられる前にはこの角度が９０度よりも大きくなっており、点火プラグ１４が第２側壁１１ｂの壁面に取り付けられた状態でこの角度が９０度となるように弾性変形可能に構成されていてもよい。これにより、第２庇部１ｂの弾性変形による付勢力で点火プラグ１４を保持することができる。
【００７１】
第２庇部１ｂは、ケース１１の外部であって第２側壁１１ｂ側に位置する複数の吸熱パイプ１３のうち最上方吸熱パイプ１３との間に点火プラグ１４を挟むように配置された吸熱パイプ１３（次上方吸熱パイプ１３）の上方（真上）に配置されている。つまり、第２庇部１ｂは次上方吸熱パイプ１３の真上に配置されている。
【００７２】
図６に示されるように、第１庇部１ａの横方向の幅ＷＡは、碍子部１４ｃの本体部１４ｃａの横方向の幅ＷＢ以上である。これにより、第１庇部１ａは、碍子部１４ｃの本体部１４ｃａの幅ＷＢ全体の真上を覆っている。第１庇部１ａは、横方向に互いに対向する第１側端部および第２側端部を有している。第１庇部１ａは、第１側端部から第２側端部にかけて、直線状に延びている。
【００７３】
第２庇部１ｂの横方向の幅ＷＣは、碍子部１４ｃの本体部１４ｃａの横方向の幅ＷＢ以上である。これにより、第２庇部１ｂは、碍子部１４ｃの本体部１４ｃａの幅ＷＢ全体の真下を覆っている。第２庇部１ｂは、横方向に互いに対向する第１側端部および第２側端部を有している。第２庇部１ｂは、第１側端部から第２側端部にかけて、直線状に延びている。
【００７４】
次に、本実施の形態の作用効果について比較例と対比して説明する。
図７に示されるように、比較例においては、点火プラグ１４がケース１１を貫通してケース１１に取り付けられる際に、点火プラグ１４の先端部１４Ｔのバーナ３０側への回動が規制されない。したがって、点火プラグ１４の先端部１４Ｔがバーナ３０の下端に設けられたバーナ炎孔面３０ａに接触することにより、バーナ３０が損傷するおそれがある。
【００７５】
これに対して、本実施の形態によれば、図８に示されるように、点火プラグ１４の先端部１４Ｔがバーナ３０側に回動することを規制することができる。これにより、点火プラグ１４の先端部１４Ｔがバーナ３０の下端に設けられたバーナ炎孔面３０ａに接触することを抑制することができる。このため、バーナ３０が損傷することを抑制することができる。
【００７６】
規制部１は、点火プラグ１４がケース１１を貫通してケース１１に取り付けられる際に、点火プラグ１４に接触することにより、点火プラグ１４の先端部１４Ｔがバーナ３０側に回動することを規制するように構成されている。このため、規制部１により点火プラグ１４の先端部１４Ｔがバーナ側に回動することを規制することができる。
【００７７】
第１庇部１ａは、点火プラグ１４とバーナ３０との間に配置され、ケース１１の内部に配置されている。このため、点火プラグ１４がケース１１を貫通してケース１１に取り付けられる際に、ケース１１の内部で第１庇部１ａが点火プラグ１４に接触することにより、点火プラグ１４の先端部１４Ｔがバーナ３０側に回動することを抑制することができる。
【００７８】
第２庇部１ｂは、点火プラグ１４に対してバーナ３０と反対側に配置され、ケース１１の外部に配置されている。このため、点火プラグ１４がケース１１を貫通してケース１１に取り付けられる際に、ケース１１の外部で第２庇部１ｂが点火プラグ１４に接触することにより、点火プラグ１４の先端部１４Ｔがバーナ３０側に回動することを抑制することができる。
【００７９】
図１および図４に示されるように、本実施の形態の温水装置１００は、上記の燃焼装置２００と、熱交換部３００とを備えている。このため、バーナ３０が損傷することを抑制することができる燃焼装置２００を備えた温水装置１００を提供することができる。
【００８０】
次に、本実施の形態の燃焼装置２００の各種変形例について図９〜図１５を用いて説明する。なお、各種変形例の構成は、特に言及しない限り、本実施の形態の構成と同様であるため、同一の要素については同一の符号を付し、その説明を繰り返さない。
【００８１】
図９に示されるように、燃焼装置２００の変形例１においては、ケース１１は、最上方吸熱パイプ１３が嵌められる第１凹部（第１壁部）１１ｂａ１と、次上方吸熱パイプ１３が嵌められる第２凹部（第２壁部）１１ｂａ２とを有している。第２凹部１１ｂａ２は、点火プラグ１４に対して第１凹部１１ｂａ１と反対側に位置している。第１凹部１１ｂａ１は、第２凹部１１ｂａ２よりもバーナ３０側に位置している。第１凹部１１ｂａ１は、第２凹部１１ｂａ２よりもケース１１の内部側に位置している。つまり、第１凹部１１ｂａ１の第２側壁１１ｂからケース１１の内部へ突き出す寸法ＬＡは、第２凹部１１ｂａ２の第２側壁１１ｂからケース１１の内部へ突き出す寸法ＬＢよりも大きい。なお、最上方吸熱パイプ１３は、次上方吸熱パイプ１３よりもケース１１の内部側に位置している。最上方吸熱パイプ１３の外径は、次上方吸熱パイプ１３の外径と等しい。
【００８２】
燃焼装置２００の変形例１においては、点火プラグ１４がケース１１を貫通してケース１１に取り付けられる際に、第１凹部１１ｂａ１が点火プラグ１４に接触することにより、点火プラグ１４の先端部１４Ｔがバーナ３０側に回動することを抑制することができる。
【００８３】
図１０に示されるように、燃焼装置２００の変形例２は、上記の燃焼装置２００の変形例１と比較して、最上方吸熱パイプ１３の外径が次上方吸熱パイプ１３の外径よりも大きい点で異なっている。このため、第１凹部１１ｂａ１は第２凹部１１ｂａ２よりもケース１１の内部側に位置している。
【００８４】
燃焼装置２００の変形例２においては、上記の燃焼装置２００の変形例１と同様に、点火プラグ１４がケース１１を貫通してケース１１に取り付けられる際に、第１凹部１１ｂａ１が点火プラグ１４に接触することにより、点火プラグ１４の先端部１４Ｔがバーナ３０側に回動することを抑制することができる。
【００８５】
図１１に示されるように、燃焼装置２００の変形例３においては、第１庇部１ａおよび第２庇部１ｂの各々は複数の部分を有している。この変形例３では、第１庇部１ａおよび第２庇部１ｂの各々は３つの部分を有している。第１庇部１ａおよび第２庇部１ｂの各々の複数の部分は、平面視において、１対の点火プラグ電極１４ａおよびフレームロッド電極１４ｂが並ぶ方向に、互いに離れて配置されている。第１庇部１ａおよび第２庇部１ｂの各々の複数の部分は、平面視において、１対の点火プラグ電極１４ａおよびフレームロッド電極１４ｂの各々が碍子部１４ｃから突出する方向に、各電極と重なるように配置されている。第１庇部１ａおよび第２庇部１ｂの各々の複数の部分は、平面視において、１対の点火プラグ電極１４ａおよびフレームロッド電極１４ｂが並ぶ方向に、碍子部１４ｃの溝ＤＰとずれて配置されている。
【００８６】
燃焼装置２００の変形例３においては、点火プラグ１４がケース１１を貫通してケース１１に取り付けられる際に、第１庇部１ａおよび第２庇部１ｂの各々の複数の部分が１対の点火プラグ電極１４ａおよびフレームロッド電極１４ｂまたは碍子部１４ｃに接触することにより、点火プラグ１４の先端部１４Ｔがバーナ３０側に回動することを抑制することができる。
【００８７】
また、第１庇部１ａおよび第２庇部１ｂの各々の複数の部分は、平面視において、１対の点火プラグ電極１４ａおよびフレームロッド電極１４ｂが並ぶ方向に、碍子部１４ｃの溝ＤＰとずれて配置されているので、１対の点火プラグ電極１４ａおよびフレームロッド電極１４ｂから第１庇部１ａおよび第２庇部１ｂの各々の複数の部分までの碍子部１４ｃ表面の沿面距離を確保することができる。このため、碍子部１４ｃにより絶縁性を確保することができる。
【００８８】
図１２に示されるように、燃焼装置２００の変形例４においては、ケース１１は、上流側壁部（第１壁部）１１１と、下流側壁部（第２壁部）１１２と、第１段差部１１３とを有している。上流側壁部１１１は、点火プラグ１４に対して下流側壁部１１２と反対側に位置している。上流側壁部１１１は、下流側壁部１１２よりもバーナ３０側に位置している。上流側壁部１１１は、下流側壁部１１２よりもケース１１の内部側に位置している。第１段差部１１３は上流側壁部１１１と下流側壁部１１２とを接続するように構成されている。第１段差部１１３は、碍子部１４ｃの本体部１４ｃａの上面に沿って延びている。第１段差部１１３は、点火プラグ１４とバーナ３０との間に配置されている。
【００８９】
このため、点火プラグ１４がケース１１を貫通してケース１１に取り付けられる際に、第１段差部１１３が点火プラグ１４に接触することより、点火プラグ１４の先端部１４Ｔがバーナ３０側に回動することを抑制することができる。
【００９０】
図１３に示されるように、燃焼装置２００の変形例５においては、ケース１１は、上流側壁部（第１壁部）１１１と、下流側壁部（第２壁部）１１２と、第２段差部１１４とを有している。上流側壁部１１１は、点火プラグ１４に対して下流側壁部１１２と反対側に位置している。上流側壁部１１１は、下流側壁部１１２よりもバーナ３０側に位置している。上流側壁部１１１は、下流側壁部１１２よりもケース１１の内部側に位置している。第２段差部１１４は上流側壁部１１１と下流側壁部１１２とを接続するように構成されている。第２段差部１１４は、碍子部１４ｃのフランジ部１４ｃｂの下面に沿って延びている。第２段差部１１４は、点火プラグ１４に対してバーナ３０と反対側に配置されている。
【００９１】
このため、点火プラグ１４がケース１１を貫通してケース１１に取り付けられる際に、第２段差部１１４が点火プラグ１４に接触することより、点火プラグ１４の先端部１４Ｔがバーナ３０側に回動することを抑制することができる。
【００９２】
図１４に示されるように、燃焼装置２００の変形例６においては、規制部１は、第３庇部１ｃを含んでいる。第３庇部１ｃは、吸熱パイプ１３に接続されている。この変形例６では、第３庇部１ｃは、次上方吸熱パイプ１３の凹部１１ｂａとは反対側の面に接続されている。第３庇部１ｃは、点火プラグ１４に対してバーナ３０と反対側に配置されている。
【００９３】
第３庇部１ｃは、点火プラグ１４がケース１１を貫通してケース１１に取り付けられた状態で、碍子部１４ｃの下面に接触している。具体的には、第３庇部１ｃは、この状態で、碍子部１４ｃのフランジ部１４ｃｂの下端に接触している。これにより、第３庇部１ｃにより点火プラグ１４を保持することができる。
【００９４】
燃焼装置２００の変形例６によれば、点火プラグ１４がケース１１を貫通してケース１１に取り付けられる際に、第３庇部１ｃが点火プラグ１４に接触することより、点火プラグ１４の先端部１４Ｔがバーナ３０側に回動することを抑制することができる。
【００９５】
図１５および図１６に示されるように、燃焼装置２００の変形例７においては、規制部１はバーリング部１ｄを含んでいる。バーリング部１ｄはケース１１に接続されている。バーリング部１ｄは、点火プラグ１４の周囲を取り囲むように構成されている。バーリング部１ｄは第２側壁１１ｂの壁面からケース１１の内部に起立している。
【００９６】
バーリング部１ｄは、点火プラグ１４がケース１１を貫通してケース１１に取り付けられた状態で、碍子部１４ｃの本体部１４ｃａの全周に接触している。これにより、バーリング部１ｄにより点火プラグ１４を保持することができる。
【００９７】
燃焼装置２００の変形例７よれば、点火プラグ１４がケース１１を貫通してケース１１に取り付けられる際に、バーリング部１ｄが点火プラグ１４に接触することにより、点火プラグ１４の先端部１４Ｔがバーナ３０側に回動することを抑制することができる。
【００９８】
なお、上記の本実施の形態および各種変形例は適宜組み合わせることができる。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９９】
１  規制部、１ａ  第１庇部、１ｂ  第２庇部、１ｃ  第３庇部、１ｄ  バーリング部、１０  顕熱回収熱交換器、１１  取付壁部（ケース）、１１ａ  第１側壁、１１ｂ  第２側壁、１１ｂａ１  第１凹部、１１ｂａ２  第２凹部、１１ｃ  第３側壁、１１ｄ  第４側壁、１２  ヘッダ、１３  吸熱パイプ、１４  点火プラグ、１４Ｔ  先端部、１４ａ  点火プラグ電極、１４ｂ  フレームロッド電極、１４ｃ  碍子部、１４ｃａ  本体部、１４ｃｂ  フランジ部、１６  フィン、１７  押さえ部材、１８  固定部材、１９  パッキン、２０  潜熱回収熱交換器、３０  バーナ、３１  チャンバ、３２  送風装置、３３  ダクト、３４  ベンチュリ、３５  オリフィス、３６  ガスバルブ、４０  配管、４１  バイパス配管、４２  三方弁、４３  液液熱交換器、４４  温水配管、５０  筐体、１００  温水装置、１１１  上流側壁部、１１２  下流側壁部、１１３  第１段差部、１１４  第２段差部、２００  燃焼装置、３００  熱交換部。
【図１】
2018071855.tif 000003
【図２】
2018071855.tif 000004
【図３】
2018071855.tif 000005
【図４】
2018071855.tif 000006
【図５】
2018071855.tif 000007
【図６】
2018071855.tif 000008
【図７】
2018071855.tif 000009
【図８】
2018071855.tif 000010
【図９】
2018071855.tif 000011
【図１０】
2018071855.tif 000012
【図１１】
2018071855.tif 000013
【図１２】
2018071855.tif 000014
【図１３】
2018071855.tif 000015
【図１４】
2018071855.tif 000016
【図１５】
2018071855.tif 000017
【図１６】
2018071855.tif 000018